(57)【要約】【課題】電池が接続され電源の供給が正常に開始されたことを容易に確認できる火災警報器を提供する。【解決手段】火災警報器は、電池（３）に配線接続されたコネクタ（４ａ）を内部回路に接続されたコネクタ（４ｂ）に接続することにより電源供給が開始される火災警報器において、上記内部回路に電源供給が開始されたときに音声メッセージを発音させる制御手段（１５、１８）を備える。また、上記音声メッセージは、利用者への挨拶を表すメッセージである。また、上記音声メッセージは、利用者の購入に対する感謝を表すメッセージである。【選択図】図１
2010102418.tif 000002
【特許請求の範囲】
【請求項１】
電池に配線接続されたコネクタを内部回路に接続されたコネクタに接続することにより電源供給が開始される火災警報器において、
上記内部回路に電源供給が開始されたときに音声メッセージを発音させる制御手段を備えることを特徴とする火災警報器。
【請求項２】
上記音声メッセージは、利用者への挨拶を表すメッセージであることを特徴とする請求項１に記載の火災警報器。
【請求項３】
上記音声メッセージは、利用者の購入に対する感謝を表すメッセージであることを特徴とする請求項１または２に記載の火災警報器。
【発明の詳細な説明】
【技術分野】
【０００１】
この発明は、電池から電源が供給される火災警報器に関するものである。
【背景技術】
【０００２】
火災警報器として、電池に配線接続されたコネクタを筐体に設けられた受けコネクタに接続することにより内部回路に電源供給が開始されるものがある（例えば、特許文献１参照）。
【０００３】
【特許文献１】特開２００６−０４０２１２号公報
【発明の開示】
【発明が解決しようとする課題】
【０００４】
しかし、電池に配線接続されたコネクタを受けコネクタに接続した結果、正常に電源供給が開始されたことを確認することができなかった。
また、火災警報器が天井などに一旦設置されてしまうと、利用者にそのまま存在を忘れ去られてしまうことが多く、そのため、例えば定期的な点検動作などが行われず、有効的に利用されていないという問題がある。
【０００５】
この発明の目的は、電池が接続され電源の供給が正常に開始されたことを容易に確認できる火災警報器を提供することである。
【課題を解決するための手段】
【０００６】
この発明に係る火災警報器は、電池に配線接続されたコネクタを内部回路に接続されたコネクタに接続することにより電源供給が開始される火災警報器において、上記内部回路に電源供給が開始されたときに音声メッセージを発音させる制御手段を備える。
【発明の効果】
【０００７】
この発明に係る火災警報器の効果は、コネクタ接続が正常に行われて内部回路に電源供給が開始されたとき音声メッセージが発音されるので、利用者はコネクタ接続が正常に行われて電源供給が開始されたことを容易に認識することができる。
【発明を実施するための最良の形態】
【０００８】
図１は、この発明を実施するための最良の形態に係る火災警報器の構成を示すブロック図である。図２は、この火災警報器の動作を示すフローチャートである。
この発明を実施するための最良の形態に係る火災警報器は、煙を感知するもので、例えば筐体背面に電池３が配置されており、この電池３に配線接続されたコネクタ４ａを、内部回路に接続された筐体のコネクタ４ｂに接続することによって、内部回路に電源が供給される電池タイプである。
【０００９】
この火災警報器は、図１に示すように、主として内部回路が、昇圧・発光回路１１と、受光増幅回路１２と、定電圧回路１３と、電池電圧検出回路１４と、警報音鳴動回路１５と、火災・異常表示回路１６と、点検回路１７と、ワンチップマイコンの制御回路１８とで構成されている。そして、電池３にはコネクタ４ａ、４ｂを介して、昇圧・発光回路１１、受光増幅回路１２、定電圧回路１３、電池電圧検出回路１４、警報音鳴動回路１５及び火災・異常表示回路１６が接続されており、定電圧回路１３には点検回路１７及び内部にタイマ１９を有する制御回路１８が接続されている。
昇圧・発光回路１１は、昇圧された発光パルスにより発光する発光素子である煙検出用の発光ダイオードで構成されている。また、受光増幅回路１２は、昇圧・発光回路１１の発光ダイオードの光の煙粒子による散乱光を受光してパルス電気信号に変換する受光素子であるフォトダイオードを有し、そのパルス電気信号を増幅して出力する。
従って、この実施の形態では、昇圧・発光回路１１と受光増幅回路１２とで煙センサー部としての火災検出回路が構成されることとなる。火災検出回路は、火災を検出するための検出信号を出力するものである。
なお、昇圧・発光回路１１の発光ダイオードと受光増幅回路１２のフォトダイオードは図示しない筐体の下方のラビリンス（煙流入室）内に設けられている。
定電圧回路１３は、点検回路１７と制御回路１８に電池３の電圧から変動しない例えば約２．３Ｖの電圧を供給する。
【００１０】
電池電圧検出回路１４は、電池３の電圧を検出し、その電圧が所定電圧以下のときに警報音と異常表示を行わせるための異常信号を出力する。
警報音鳴動回路１５はスピーカ８と接続されており、動作時にスピーカ８を鳴動させる。
火災・異常表示回路１６は表示灯７と接続されており、火災時に表示灯７を点灯、異常時に表示灯７を点滅、通常時は表示灯７を消灯させる。
点検回路１７は点検スイッチ５と接続されており、点検スイッチ５のオン信号により動作して火災検出回路の状態や電池３の電圧状態などの各種内部回路の状態を監視して点検するための点検指令を制御回路１８に出力する。
制御回路１８はワンチップマイコンで構成され、昇圧・発光回路１１、受光増幅回路１２、電池電圧検出回路１４、警報音鳴動回路１５及び火災・異常表示回路１６にそれぞれ制御信号を出力し、これら回路と点検回路１７から各種信号を受けて火災信号等の各種信号を出力するものである。
特に、制御回路１８は、火災検出回路の検出信号に基づいて火災と判定したときには火災信号を警報音鳴動回路１５及び火災・異常表示回路１６に出力するものである。
さらに、本実施の形態では、制御回路１８と警報音鳴動回路１５とで内部回路に電源供給が開始されたときに、内部回路に電源供給が開始されたことを示す音声メッセージを発音させる制御手段を構成する。
制御回路１８は、電池が接続されて電源供給が開始されることによって起動し、電池接続有り信号を警報音鳴動回路１５に出力する。
警報音鳴動回路１５は、電池接続有り信号を受信したときスピーカ８から音声メッセージとして、「こんにちは、能美防災製品を使用していただきありがとうございます」と発音する。
【００１１】
次に、この発明に係る火災警報器の動作を説明する。
電池３のコネクタ４ａを筐体のコネクタ４ｂに接続することにより、火災警報器の電源をオンする（ステップＳ１）。
制御回路１８は、電池３が接続されることにより、定電圧回路１３を介して所定の電圧が供給されることによって起動し、まず、イニシャル処理を開始する（ステップＳ２）。このイニシャル処理として、制御回路１８は各内部回路を正常に動作させるための処理を行う。
イニシャル処理が終了すると、つぎに、制御回路１８は電池接続有り信号を警報音鳴動回路１５に出力する（ステップＳ３）。
警報音鳴動回路１５では、電池接続有り信号を受信したときスピーカ８から「こんにちは、能美防災製品を使用していただきありがとうございます」と発音する（ステップＳ４）。
音声メッセージの発音が終了すると、火災監視動作に入る（ステップＳ５）。こうして火災監視動作に入ると、昇圧・発光回路１１では内部の発光用コンデンサの発光充電が行われ、発光充電が完了すると、煙検出用の発光ダイオードは所定の電流で発光し、発光制御が行われる。そして、昇圧・発光回路１１の発光ダイオードの光の煙粒子による散乱光を受光した受光増幅回路１２はそのフォトダイオードが光を電気信号パルスに変換し、増幅して出力する。受光増幅回路１２から出力された電気信号パルスを制御回路１８は取り込み記憶する。
【００１２】
次に、制御回路１８は火災検出を行う（ステップＳ６）。
この火災検出は、制御回路１８では受光増幅回路１２からの電気信号パルスが火災レベルを示す所定の規定値以上か否かを判定し、所定の規定値以上のときは、火災レベルに達しているとして火災と判定する。
そして、制御回路１８が火災と判定したときには、火災信号を警報音鳴動回路１５と火災・異常表示回路１６に出力し、火災信号を受けた警報音鳴動回路１５は動作して火災である旨を報知するようスピーカ８を鳴動させ、火災信号を受けた火災・異常表示回路１６は動作して表示灯７を点灯させて火災表示を行う（ステップＳ７）。
また、制御回路１８が受光増幅回路１２からの電気信号パルスが所定の規定値以下として火災ではないと判定したときには、火災信号が警報音鳴動回路１５と火災・異常表示回路１６には出力されないので、警報音鳴動回路１５と火災・異常表示回路１６は動作せず、スピーカ８は鳴動せず、表示灯７は消灯したままとなる（ステップＳ８）。
【００１３】
次に、点検スイッチ５が押圧操作されてオン信号を受けた点検回路１７が点検指令を出力したかどうかを制御回路１８では点検しており（ステップＳ９）、制御回路１８は点検回路１７からの点検指令を受けなければステップＳ５の火災監視動作に戻る。
制御回路１８は点検スイッチ５のオン信号に基づいた点検回路１７からの点検指令を受けた場合には内部の各回路の点検動作に入る（ステップＳ１０）。
この点検動作は、火災検出回路の状態を監視して異常を検出するもので、例えば昇圧・発光回路１１の赤外発光ダイオードが発光したときに受光増幅回路１２への入力が無ければ断線による異常があると判定したり、その赤外発光ダイオードが発光して受光増幅回路１２への入力が通常のときより低下していれば昇圧・発光回路１１又は受光増幅回路１２の劣化による異常があると判定したりする。また、電池３の電圧状態も監視して異常を検出しており、電池電圧検出回路１４が検出した電圧が所定の電圧より低下したときには電池３による異常（電池切れ）があると判定する。
【００１４】
さらに、制御回路１８は点検動作に入って異常の検出を行い（ステップＳ１１）、異常が検出されたら異常信号を警報音鳴動回路１５と火災・異常表示回路１６に出力し、異常信号を受けた警報音鳴動回路１５は動作して異常である旨を報知するようスピーカ８を鳴動させ、異常信号を受けた火災・異常表示回路１６は動作して表示灯７を点滅させて異常表示を行う（ステップＳ１２）。
また、制御回路１８は、異常を検出しなかったときには、正常信号を警報音鳴動回路１５と火災・異常表示回路１６に出力して、正常信号を受けた警報音鳴動回路１５は動作して正常である旨を報知するようスピーカ８を鳴動させ、正常信号を受けた火災・異常表示回路１６は表示灯７を所定時間点灯させて正常表示を行う（ステップＳ１３）。
なお、火災時と異常時と正常時ではスピーカの鳴動の仕方を変えて３つの状態が区別できるようにしているが、ステップＳ１１において、制御回路１８が正常信号として火災信号を出力する構成とすることもできる。この場合、制御回路１８は火災信号を警報音鳴動回路１５に出力して、火災信号を受けた警報音鳴動回路１５は動作して正常としての火災である旨を報知するようにスピーカ８を鳴動させることができる。
【００１５】
この発明に係る火災警報器では、コネクタ接続が正常に行われて内部回路に電源供給が開始されたとき音声メッセージが発音されるので、利用者はコネクタ接続が正常に行われて電源供給が開始されたことを容易に認識することができる。
【００１６】
また、「こんにちわ」というような利用者への挨拶を表すメッセージを発音するので、利用者の気持ちを和ませることができる。そのため、火災警報器に親しみを持たせることができ、例えば定期的な点検動作などが行われて、有効な利用を促進することができる。  また、「能美防災製品を使用していただきありがとうございます」というような利用者の購入に対する感謝を表すメッセージを発音するので、前記利用者への挨拶を表すメッセージと同様に、利用者の気持ちを和ませるとともに会社名をアピールすることができる。
【００１７】
なお、上述のメッセージは一例であり、利用者への挨拶または利用者の購入に対する感謝を表すメッセージであればこれらに限るものではない。
【図面の簡単な説明】
【００１８】
【図１】この発明を実施するための最良の形態に係る火災警報器の構成を示すブロック図である。
【図２】この火災警報器の動作を示すフローチャートである。
【符号の説明】
【００１９】
３  電池、４ａ、４ｂ  コネクタ、５  点検スイッチ、７  表示灯、８  ブザー、９  スピーカ、１１  昇圧・発光回路、１２  受光増幅回路、１３  定電圧回路、１４  電池電圧検出回路、１５  警報音鳴動回路、１６  火災・異常表示回路、１７  点検回路、１８  制御回路、１９  タイマ。
【図１】
2010102418.tif 000003
【図２】
2010102418.tif 000004